(57)【要約】【課題】  微細でエネルギーの大きい反応性の高い高温ミストを噴霧する理美容機用ミスト噴霧装置を目的とするものである。【解決手段】  ミスト噴霧ノズル２へミストを供給するミスト類発生装置４と前記ミスト噴霧ノズル２とを送出管３により接続するとともに、ミスト噴霧ノズル２に供給されたミストを１１０〜１３０℃に加熱して３ミクロン以下に微細化する加熱装置５をミスト噴霧ノズル２に設けることにより、エネルギーが大きく反応性が高い微細な高温ミストを生成できるので、肌や髪の表面を水分で濡らすことなく高温ミストは皮膚や毛髪内に容易に浸透することとなるので、美顔効果が容易に得られるうえに髪に浸透した水分により薬液は活性化し効率よくパーマやストレートパーマ、ヘアカラー等の施術を行なうことができる。【選択図】                  図１
2005205163.tif 000002
【特許請求の範囲】
【請求項１】
ミスト噴霧ノズルへミスト類を供給するミスト類発生装置と前記ミスト噴霧ノズルとを送出管により接続するとともに、ミスト噴霧ノズルに供給されたミスト類を１１０〜１３０℃に加熱して３ミクロン以下に微細化する加熱装置をミスト噴霧ノズルに設けたことを特徴とする理美容機用ミスト噴霧装置。
【請求項２】
ミスト類発生装置が５０℃以上のミスト類をミスト噴霧ノズルに供給するものであることを特徴とする請求項１に記載の理美容機用ミスト噴霧装置。
【請求項３】
加熱装置のヒータが耐熱衝撃性の遠中赤外線ランプであることを特徴とする請求項１または２に記載の理美容機用ミスト噴霧装置。
【請求項４】
加熱装置のヒータがヘアアイロン鏝であることを特徴とする請求項１または２に記載の理美容機用ミスト噴霧装置。
【請求項５】
加熱装置に送風機が付帯されることを特徴とする請求項１から４のいずれかに記載の理美容機用ミスト噴霧装置。
【請求項６】
送風機をブロアとしたことを特徴とする請求項５に記載の理美容機用ミスト噴霧装置。
【請求項７】
加熱装置は先端を狭窄させた吹出しノズルを備えており、該吹出しノズルの先方部に負圧空間を形成するとともに該負圧空間にミスト類の送出管先端を配置させたことを特徴とする請求項５または６に記載の理美容機用ミスト噴霧装置。
【請求項８】
ミスト類の送出管先方部と加熱装置の吹出しノズルの軸線方向を一致させるとともにミスト類の送出管先方部を加熱装置の中央に配置させたことを特徴とする請求項５または６に記載の理美容機用ミスト噴霧装置。
【請求項９】
ミスト類の送出管先端を送風機の吸込口に配置させたことを特徴とする請求項５または６に記載の理美容機用ミスト噴霧装置。
【請求項１０】
ミスト噴霧ノズルに凝結水が垂落ちないように液垂防止機構を設けたことを特徴とする請求項１から９のいずれかに記載の理美容機用ミスト噴霧装置。
【請求項１１】
ミスト類発生装置が、ミスト発生機構、蒸気発生機構の一方または双方からなることを特徴とする請求項１から１０のいずれかに記載の理美容機用ミスト噴霧装置。
【発明の詳細な説明】
【技術分野】
【０００１】
本発明は美容院や理容院で使用する理美容機用ミスト噴霧装置に関するものである。
【背景技術】
【０００２】
従来、美容院や理容院で美顔術やヘアダイ、パーマあるいはヘアカラー等の施術を行なう際に用いられるミスト噴霧装置として、水容器に開口付のフードに覆われた霧化室を形成し、該霧化室と連通する送風装置を設け、送風装置の送風路にヒータを設けたものがある（例えば、特許文献１）。また霧発生機により発生された霧と蒸気発生機により発生された蒸気とを混合タンクで混合し、混合された霧と蒸気の混合物を給送手段により送出するものがある（例えば、特許文献２）。また加熱装置のノズル先端部に、超音波ミスト発生装置に連結されるミスト噴霧ノズルが連通された混合ノズルを連設したものがある（例えば、特許文献３）。
【０００３】
しかし特許文献１に示されるものは、生成されたミストの一側方から送風装置により熱風を吹きかけて加熱するものとしているため、ミスト全体が均一に加熱され難くミストに温度むらを生じる。また加熱が不十分なミスト領域では凝結によって霧粒子径が粗くなり、肌への水分の浸透性が低下して美顔効率を低下させるという問題があった。さらに霧粒子が粗くなると顔が濡れてべたつき被施術者に不快感を与えるうえ、霧粒子の熱量が増すので注意深く施術を行なわないと火傷を生じさせる恐れもあった。
【０００４】
また特許文献２に示されるものでは、ミストを蒸気と混合したミストとして送出しているが、ミストがフレキシブルホース中を流れる間に冷却されて凝結し、ミスト粒子径が大きくなるうえに温度低下はミストの反応性を低下させ、水分の毛髪への浸透性を低下させるので毛髪が膨潤し難くなり、パーマやストレートパーマ、ヘアカラーの際、薬液の活性化や浸透性が低下して施術に時間がかかるという問題が生じた。またミストの粒子径が大きくなることは水分の肌への浸透性も低下して美顔効果を低減させるという問題があった。
【０００５】
さらに特許文献３に示されるものでは、乾熱風と別々に３ミクロンφの微粒子を同時に噴霧し、毛髪に必要な湿度を保ちながら乾燥を行なうものであって、ミストを加熱して微細化するものではないため、毛髪が濡れやすいという問題があった。また混合ノズル内にミスト噴霧ノズルが突出されるため乱流が生じて、ミスト噴霧ノズルから送出されるミストにむらが生じるので毛髪にミストが均一に噴霧されず、毛髪の湿度にむらが生じるという問題もあった。
【特許文献１】特開昭５６−１５６１５６号公報
【特許文献２】特開平３−１５４０７号公報
【特許文献３】実開昭６２−１４３４０５号公報
【発明の開示】
【発明が解決しようとする課題】
【０００６】
解決しようとする問題点は、ミスト粒子径が大きく温度が低いことにより毛髪が濡れて薬液が薄まったり流れたりするうえに毛髪への水分の浸透性が悪く、施術に時間がかかることである。
【課題を解決するための手段】
【０００７】
本発明は、ミスト噴霧ノズルへミストを供給するミスト類発生装置と前記ミスト噴霧ノズルとを送出管により接続するとともに、ミスト噴霧ノズルに供給されたミストを１１０〜１３０℃に加熱して３ミクロン以下に微細化する加熱装置をミスト噴霧ノズルに設けた理美容機用ミスト噴霧装置を請求項１の発明とし、請求項１の発明において、ミスト類発生装置が５０℃以上のミスト類をミスト噴霧ノズルに供給する理美容機用ミスト噴霧装置を請求項２の発明とし、請求項１または２の発明において、加熱装置のヒータが耐熱衝撃性の遠中赤外線ランプである理美容機用ミスト噴霧装置を請求項３の発明とし、加熱装置のヒータがヘアアイロン鏝である理美容機用ミスト噴霧装置を請求項４の発明とし、請求項１から４の発明において、加熱装置に送風機が付帯される理美容機用ミスト噴霧装置を請求項５発明とし、請求項５の発明において、送風機をブロアとした理美容機用ミスト噴霧装置を請求項６の発明とし、請求項５または６の発明において、加熱装置は先端を狭窄させた吹出しノズルを備えており、該吹出しノズルの先方部に負圧空間を形成するとともに該負圧空間にミスト類の送出管先端を配置させた理美容機用ミスト噴霧装置を請求項７の発明とし、ミスト類の送出管先方部と加熱装置の吹出しノズルの軸線方向を一致させるとともにミスト類の送出管先方部を加熱装置の中央に配置させた理美容機用ミスト噴霧装置を請求項８の発明とし、ミスト類の送出管先端を送風機の吸込口に配置させた理美容機用ミスト噴霧装置を請求項９とし、請求項1から９の発明において、ミスト噴霧ノズルに凝結水が垂落ちないように液垂防止機構を設けた理美容機用ミスト噴霧装置を請求項１０の発明とし、請求項1から１０の発明において、ミスト類発生装置が、ミスト発生機構、蒸気発生機構の一方または双方からなる理美容機用ミスト噴霧装置を請求項１１の発明とするものである。
【発明の効果】
【０００８】
本発明は、ミスト噴霧ノズルへミスト類を供給するミスト類発生装置と前記ミスト噴霧ノズルとを送出管により接続するとともに、ミスト噴霧ノズルに供給されたミスト類を１１０〜１３０℃に加熱して３ミクロン以下に微細化する加熱装置をミスト噴霧ノズルに設けたものとすることにより、エネルギーが大きく反応性の高い微細な高温ミストは髪のキューティクルの隙間や肌の細胞の隙間から表面を濡らすことなく速やかに浸透するので、髪に付着させた薬液やヘアカラー液を薄めたり流すことがなく少ない薬液やヘアカラー液でパーマやストレートパーマ、ヘアカラーを確実に行なうことができるうえに、施術時間を短縮することができる。
請求項２のように、ミスト類発生装置が５０℃以上のミスト類をミスト噴霧ノズルに供給するものとすることにより、ミスト類は加熱装置により速やかに微細化されることとなって効率よく施術を行なうことができることとなる。
請求項３のように、加熱装置のヒータが耐熱衝撃性の遠中赤外線ランプであるものとすることにより、ミストによりニクロム線等のヒータが腐食することがなく長期耐用できるものとなる。
請求項４のように、加熱装置のヒータがヘアアイロン鏝であるものとすることにより、別のヒータを付帯させることなくミストを再加熱して髪を痛めることなくヘアセットが行えることとなる。
請求項５のように、加熱装置に送風機を付帯させることにより、熱風の風量、風速が増すので高温ミストを効率よく発生させることができる。
請求項６のように、送風機をブロアとすることにより、静圧を高くすることができ重いミスト類でも強力にヒータまで送出して的確に再加熱できるうえに、ミストを加速して噴霧することができるので、施術を確実なものとすることができる。
請求項７のように、加熱装置は先端を狭窄させた吹出しノズルを備えており、該吹出しノズルの先方部に負圧空間を形成するとともに該負圧空間にミスト類の送出管先端を配置させることにより、ミスト類の送出は熱風により阻害されることなく、逆に吸い出されるうえに、熱風流により加速されるので高温ミストを奥部の毛髪まで送り込むことができ、施術を確実なものとすることができる。
請求項８のように、ミスト類の送出管先方部と加熱装置の吹出しノズルの軸線方向を一致させるとともにミスト類の送出管を加熱装置の中央に配置させることにより、ミスト類は周囲の熱風により包み込まれるように加熱されて温度むらのない均一な高温ミストを生成することができる。しかも加熱装置により送出管が加熱されるので送出管内でのミスト類の凝結が防止されるうえに高温ミストの生成を促進するので効率よく高温ミストを生成できることとなる。しかも熱風により加速されるので高温ミストを奥部の毛髪まで確実に送り込むことができ、施術を確実なものとすることができる。
請求項１０のように、ミスト噴霧ノズルに凝結水が垂落ちないように液垂防止機構を設けることにより、ヘアカラー等の施術中に凝結水が垂れて髪に塗付された薬液やヘアカラー液を薄めたり流し落としたりすることがないので施術を確実なものとすることができるものである。
【発明を実施するための最良の形態】
【０００９】
次に、本発明をワゴンタイプの理美容機に組み込んだ第１の実施の形態を図１〜３に基づいて詳細に説明する。
１は手持ちミスト噴霧装置であり、該手持ちミスト噴霧装置１はミスト噴霧ノズル２とフレキシブルホースよりなる送出管３と接続されるミスト類発生装置４とからなるものである。手持ちミスト噴霧装置１のミスト噴霧ノズル２は図３に示されるように、ガンタイプのもので送出管３をハンドグリップ部の下端部に接続するとともに、ミスト噴霧ノズル２に加熱装置５を設けたものである。該加熱装置５は銃身状部基部にモータ６ａにより駆動されるファンよりなる送風機６を設けるとともに、該送風機６の前方にヒータ７を配置させて熱風を生成させるものとしている。ヒータとしては耐腐食性や耐熱衝撃性を有するセラミックヒータや図７に示されるようなＰＴＣ（Ｐｏｓｉｔｉｖｅ  Ｔｅｍｐｅｒａｔｕｒｅ  Ｃｏｅｆｆｉｃｉｅｎｔ）ヒータ（通称、セラミック・アルミヒータ）あるいは赤外線ランプ等を用いることが好ましいが、ミストに触れないようにしたニクロム線を用いてもよいことは勿論である。
【００１０】
また前記ヒータ７は送風機６から送られる送風を１１０〜１３０℃に加熱し、ミスト類発生装置４からミスト噴霧ノズル２内に供給される５０℃以上のミスト類を１１０〜１３０℃の高温ミストに加熱するとともにミストの粒子径を３ミクロン以下より好ましくは２．５ミクロン以下のエネルギーが大きく反応性の高いものとして髪のキューティクルの隙間や皮膚細胞の隙間からの浸透性を高め、髪や肌の表面には水分が残らないように浸透させてパーマやストレートパーマ、ヘアカラー時には薬液やヘアカラー液が水分で薄まったり流されたりすることがないようにしている。
【００１１】
また加熱装置５はミスト類の凝結を抑えるとともに凝結水が発生するとその凝結水を蒸発させることとなるのでミスト噴霧ノズル２から凝結水が垂れることを抑制する。さらに加熱装置５の吹出しノズル８は先端を先細に狭窄させることにより、吹出しノズル８の周囲に負圧空間が形成されるものとしている。そして該負圧空間位置にミスト類の送出管３先端を配置させることによりミスト類が吸い出されるようにしてミスト類の供給を確実なものとしている。
【００１２】
またミスト噴霧ノズル２には凝結水の垂落ちを防ぐ液垂防止機構９が設けられている。該液垂防止機構９はミスト噴霧ノズル２のノズル口縁を先尖り状内鍔として、ミスト噴霧ノズル２内で凝結した水滴が直ぐに垂落ちないようにして加熱装置５により蒸発されるまでの時間を稼ぐようにするとともに、先尖り状とすることにより水切れを良くして凝結水がオーバーフローするほど溜まった場合に、表面張力により凝結水がだらだらと流れ続けることを防止している。またミスト噴霧ノズル２内で凝結した凝結水は４０℃以下なので例えオーバーフローして垂落ちても被施術者に火傷を生じさせることがない。
【００１３】
液垂防止機構９はミスト噴霧ノズル部２の周囲にヒータを巻装して結露水を蒸発乾燥させたり、ミスト噴霧ノズル部２の外周に噴霧口より先端を張出させて嵌着した吸水体により結露水を吸収させたりして結露水の垂落ちをより確実に防止するものとしてもよい。６ｂは送風機６の空気取入孔、１０はハンドグリップ部の握り部であり、該握り部１０は必要に応じてハンドグリップ部内のミスト導入管の周囲に断熱空気層が形成させるように設けてある。
【００１４】
また図１におけるミスト類発生装置４は蒸気発生機構１１と、ミスト発生機構１７と、給水機構１２と、送風機構１３と、ミックスタンク１４とよりなるものとしている。前記蒸気発生機構１１は蒸気釜１１ａと、該蒸気釜１１ａ内の水中に浸漬されるシーズヒータ１１ｂとよりなるもので、前記蒸気釜１１ａには１２０℃でシーズヒータ１１ｂを遮断する空焚き防止用のバイメタルサーモ１１ｃと、７５℃でシーズヒータ１１ｂをオフするバイメタルサーモ１１ｄとが設けられている。
【００１５】
またミスト発生機構１７は貯水タンク１８の底部に水に接触させて配置させた超音波振動子１８ａを設けるとともに貯水タンク１８にミスト送出用の送風機構１３を接続したものであり、貯水タンク１８内には水が少なくなると超音波振動子１８ａをオフするフロートスイッチ１８ｂと５０℃を超えると超音波振動子１８ａをオフする加熱防止用のサーマルスイッチ１８ｃとが設けられている。
【００１６】
さらにミックスタンク１４にはミスト発生機構１７と蒸気発生機構１１とが接続されて発生されたミストと蒸気を混合させている。また給水機構１２は給水位調整ノズル１２ｂ付の給水タンク１２ａと、該給水タンク１２ａと接続される定水位室１２ｃとからなり、該定水位室１２ｃと蒸気釜１１ａとは連通管により接続されて蒸気釜１１ａが常に一定水位となるようになっている。また送風機構１３の送風管はミックスタンク１４内に接続されて、ミックスタンク１４内で混合された温ミストを送出管３に送出するものである。前記給水位調整ノズル１２ｂは先端が閉塞され、給水水位レベル位置の側壁に通水孔を透設することにより、常に、定水位室１２ｃ内の水位を通水孔位置に設定できるものとしている。
【００１７】
蒸気発生機構１１とミスト発生機構１７とを組み合わせることにより大量の温ミストを発生させることができるうえにミスト類発生装置４により生成されるミストを５０℃以上のミスト類とすることにより送出管路内でミスト類の凝結は抑制されるので、３ミクロン以下の小さい微細化された高温ミストを短時間で生成することが可能となる。
【００１８】
１５ａ、１５ｂはミックスタンク１４の出口に設けられるイオン発生装置とサーミスタであり、イオン発生装置１５ａは送出管３から送出されるミスト中に含まれる薬剤臭等をイオンにより分解してミストの脱臭を行ない、またサーミスタ１５ｂはミストの温度に基いて、蒸気とミストの混合率、すなわち蒸気発生機構１１のシーズヒータ１１ｂをオンオフすることにより蒸気の供給量を変えてミストを所定温度にするものである。
【００１９】
イオン発生装置１５ａによりミストの脱臭を行なうのは施術部位に近づけて使用されるミスト噴霧ノズル２には薬剤臭が付きやすく、その薬剤臭はミスト噴霧ノズル２で凝結した凝結水に移り、その凝結水がミックスタンク１４内に流入することによりミックスタンク１４内で温ミストに薬剤臭が移るからである。１４ａはミックスタンク１４の底部に設けられる結露水排出用のドレン弁である。１６はミックスタンク１４に接続されるドレン弁１６ａ付きの結露水貯留タンクであり、該結露水貯留タンク１６はミックスタンク１４からの凝結水を貯留し、満水となった際にはドレン弁１６ａを開放して凝結水を排出するものとして、薬液臭がある凝結水を再利用することなく排出して薬液臭の低減を図るものとしているが、美容等の施術を行なわない場合には結露水貯留タンク１６は必ずしも必要とするものではない。そして前述した各装置は図２に示されるようなワゴン本体に組み付けられて使用されることとなる。
【００２０】
このように構成されたものは、図示しない電源を投入して蒸気発生機構１１の蒸気釜１１ａ内の水中に浸漬されているシーズヒータ１１ｂに通電して蒸気を発生させるとともに、ミスト発生機構１７の貯水タンク１８の底部に水に接触させて配置させた超音波振動子１８ａを作動させることによりミストを発生させる。このようにして蒸気釜１１ａで発生した蒸気とミスト発生機構１７で発生されたミストはミックスタンク１４内に流入して混合されミスト類となる。ミスト類はミックスタンク１４内への送風を行う送風機構１３によりフレキシブルホースとしての送出管３に送り出されてミスト噴霧ノズル２に供給されることとなる。ミスト噴霧ノズル２に供給される時、ミスト類の温度は５０℃以上としているのでミスト類の凝結は的確に抑制されることとなる。
【００２１】
そして施術者が図示しないスイッチによりミスト噴霧ノズル２の加熱装置５をオンとすれば、加熱装置５の送風機６とヒータ７とが起動される。これにより１１０〜１３０℃の熱風が先細に狭窄させた吹出しノズル８より送出される。そして先端を狭窄させた吹出しノズル８より熱風が送出されると、その風速により吹出しノズル８の周囲には負圧空間が形成される。該負圧空間領域にミスト類の送出管３先端が配置されているので、ミスト類は送出管３から吸い出されるようにしてミスト噴霧ノズル２内に流入することとなる。
【００２２】
そしてミスト噴霧ノズル２内に流入した５０℃以上のミスト類は熱風により１１０〜１３０℃に加熱され３ミクロン以下、好ましくは２．５ミクロン以下の微細な粒子径で、エネルギーの大きい反応性の高い高温ミストが生成されるとともに熱風により加速される。このような微細な高温ミストは水分量が僅かなため髪や顔の表面を濡らすことなく髪や皮膚内に速やかに浸透されることとなる。また高温ミストは微細なため熱量は極めて小さく長時間近距離で噴霧しなければ火傷を起こすことがなく、約１０ｃｍ以上離して噴霧すれば長時間噴霧しても火傷を起こすことのない安全なものとなるので、普通のハンドドライヤを用いるようにして顔に粒子径３ミクロン以下、好ましくは２．５ミクロン以下のエネルギーの大きい反応性の高い高温ミストを噴霧することにより皮膚の内部に速やかに浸透することとなり、短時間で肌に潤いを与えることができる。またパーマやストレートパーマ、ヘアカラーを行なう際には、毛髪に粒子径３ミクロン以下でエネルギーの大きい反応性の高い高温ミストを噴霧することにより毛髪内部に速やかに深く浸透するうえに髪表面を濡らすことがないので、髪は短時間で膨潤して薬液やヘアカラー液の浸透がよくなるうえに髪表面の水分により薬液やヘアカラー液等が洗い流されることがなく、少ない薬液や染料で良好なパーマやストレートパーマ、ヘアカラーを行なうことができるうえに施術時間を短縮することができることとなる。しかも加速された高温ミストは奥部の毛髪まで送り込まれて水分を浸透させることとなる。
【００２３】
また図４は前記第１の実施の形態において、ミスト噴霧ノズル２がハンドグリップ部を前方に配置させたガンタイプのものとし、送出管３をハンドグリップ部の下端部に接続するとともに、ミスト噴霧ノズル２に加熱装置５を設けたものである。加熱装置５のヒータ７はハロゲンヒータランプのように耐熱衝撃性を有する遠・中赤外線を放射する遠中赤外線ランプを用いることにより、ニクロム線をヒータに用いた場合に発生するミストによるニクロム線腐食を防止するものとしている。また耐熱衝撃性を有するものとしているので高熱になっている遠中赤外線ランプに冷たいミストが触れても熱衝撃で破損することがないものである。また遠中赤外線ランプ以外に、図７に示されるように、ミストによる損傷が発生しないＰＴＣ（Ｐｏｓｉｔｉｖｅ  Ｔｅｍｐｅｒａｔｕｒｅ  Ｃｏｅｆｆｉｃｉｅｎｔ）ヒータ（通称、セラミック・アルミヒータ）を用いてもよい。
【００２４】
さらに加熱装置５の送風機６はヒータ７の後方に配置されるブロワよりなるものとして静圧を高め、重いミストを効率よく送風流に乗せて加速することができるものとしており、ミスト類をヒータ７で再加熱しつつ強力に噴霧することができるものとしている。７ａはヒータ７の周囲に形成される反射板で、該反射板７ａにより遠中赤外線が効率よくミストに照射されるようにするとともに、ケースの過熱を防止するものとしている。
【００２５】
図４、６、７中、５０はミスト噴霧ノズル２の先端上部にイオン吹出口を設け、該イオン吹出口付近にイオン発生針５０ａを配置させたイオン発生器であり、該イオン発生器５０はミストを含まない送風のみが供給されるようにしてミスト流路と隔離したものとしている。これはイオン発生針５０ａをミスト流路に配置させると損傷して長期耐用できないからである。また手持ちミスト噴霧装置１に設けられるイオン発生器５０は脱臭効果より、髪の傷みを防ぎ、且つ髪につやを出し、パーマがかかりやすくするためである。５１はミスト噴霧ノズル２に先端に装着される整髪用の交換ノズルであり、図５に示されるように先端を扁平状としている。２ａはミスト噴霧ノズル２の先端に形成される安全用格子である。
【００２６】
さらに図６は前記第１の実施の形態において、ハンドグリップ部に接続される送出管３から供給されるミストをシリコンチューブでブロワよりなる送風機６まで供給するようにした点が図４と相違する以外は同様の構成のため同一符号を付して説明を省略する。
【００２７】
また図８に示される第２の実施の形態は、第１の実施の形態に用いられる蒸気発生機構１１を省略し、ミスト発生機構１７のみを用いて常温のミスト類を生成する点および結露水貯留タンク１６を省略した点以外は第１の実施の形態と基本的構成および作用効果は同じため同一符号を付して説明を省略する。常温のミスト類を用いるため高温ミストを必要量発生させるためには、冬季や寒冷地では送出管３に保温や加熱機構を付帯させたり、加熱装置５の出力を高めたりする必要があるが、夏季や温暖、熱帯地域では高温ミストを必要量発生させることができる。また図面上ミスト発生機構１７にフロートスイッチやサーマルスイッチが描かれてないが、第１の実施の形態と同じように設けられるものである。
【００２８】
さらに図９に示される第３の実施の形態は、ミスト類発生装置４を蒸気発生機構１１のみにより構成して温ミストを生成する点が前記第１または２の実施の形態と異なるもので基本的構成および作用効果は同じため同一符号を付して説明を省略する。また図面上蒸気発生機構１１に空焚き防止用のバイメタルサーモやシーズヒータをオフするバイメタルサーモが描かれていないが、第１の実施の形態と同じように設けられるものである。
【００２９】
また図１０に示される第４の実施の形態は、第３の実施の形態における蒸気発生機構１１に結露水貯留タンク１６を付帯させた点以外は前記第１または２の実施の形態と基本的構成および作用効果は同じため同一符号を付して説明を省略する。また図面上蒸気発生機構１１に空焚き防止用のバイメタルサーモやシーズヒータをオフするバイメタルサーモが描かれていないが、第１の実施の形態と同じように設けられるものである。
【００３０】
さらに図１１に示される第５の実施の形態は、加熱装置５の送風機６をミスト噴霧ノズル２に設けず、ヒータ７のみをミスト噴霧ノズル２に設けて送風機６は本体に設けたものとすることによりミスト噴霧ノズル２の軽量化を図り操作性を高めた点と、ミスト噴霧ノズル２を図１２に拡大して示されるようにストレートタイプのものとしてミスト噴霧ノズル２の中心に金属製の送出管３を配置し、該送出管３の先端部にハニカムタイプのセラミックヒータよりなる環状のヒータ７を取り付けたものとしている。このヒータ７は金属製の送出管３を加熱するので送出管３内で凝結付着した凝結水は蒸発されることとなり、液垂れはより確実に防止されることとなる。また送出管３を銅やアルミニウム等の熱伝導率の高い金属とすることにより、より効果的に凝結水を蒸発させることができる。
【００３１】
また送出管３の外周囲を流れる送風がハニカムのヒータ７を通過することにより１１０〜１３０℃の熱風に加熱されるものとし、ミスト類はその外周囲を流れる熱風によって包まれるようにして加熱され、温度むらのない粒子径３ミクロン以下のエネルギーの大きい反応性の高い高温ミストを短時間で生成することができる点以外は前記第１の実施の形態と基本的に同じ構成のため同一符号を付して説明を省略する。またハニカムタイプのセラミックヒータの代わりに図７に示されるようなＰＴＣ（Ｐｏｓｉｔｉｖｅ  Ｔｅｍｐｅｒａｔｕｒｅ  Ｃｏｅｆｆｉｃｉｅｎｔ）ヒータ（通称、セラミック・アルミヒータ）を用いてもよいことは勿論である。また図面上ミスト発生機構１７にフロートスイッチやサーマルスイッチおよび蒸気発生機構１１に空焚き防止用のバイメタルサーモやシーズヒータをオフするバイメタルサーモが描かれていないが、第１の実施の形態と同じように設けられるものである。
【００３２】
また第５の実施の形態において、ストレートタイプのミスト噴霧ノズル２を図１３に示されるように先端を段付きの接続部として、該接続部に先端を先細や扁平状とした吹出し口を有するノズル２ａや、多数の小ミスト噴霧口を形成したブローブラシ２ｂやロールブラシ２ｃを交換自在に取り付けるものとすれば、高温ミストを噴霧しつつヘアセット等を行なうことができ、ヘアセットを確実且つ短時間で行うことができる。
【００３３】
さらに第５の実施の形態において、図１４、図１５に示されるように、ミスト噴霧ノズル２をヘアアイロン６０に組み込み、加熱装置５のヒータ７をヘアアイロン６０の上下のヘアアイロン鏝６１としてもよい。上下のヘアアイロン鏝６１が平板状の場合、上下のヘアアイロン鏝６１はその対向面に先細テーパ状の隙間が形成されるものとし、その隙間にミストが供給されてミストが再加熱されるものとしている。こうすることにより別のヒータを付帯させることなくミストを再加熱し、再加熱されたミストを吹き付けつつヘアセットを行えば髪を痛めることがない。上下のヘアアイロン鏝６１の対向面に隙間が形成されないヘアアイロン６０の場合、図１５に示されるように、一方のヘアアイロン鏝６１の下面中央部に凹溝を形成したり、他方のヘアアイロン鏝６１の上面を洗濯板状としたりしてミストが通過できる隙間をヘアアイロン鏝６１の対向面に形成するものとしている。またミスト噴霧ノズル２は図１５に示されるように、２穴とすることにより十分な広がりをもって噴霧されてヘアアイロン鏝６１により再加熱されることとなる。
【００３４】
また図１７、１８に示されるように、加熱装置５のヒータ７をヘアアイロン６０の断面円形のヘアアイロン鏝６１としてもよい。こうすることにより別のヒータを付帯させることなくミストを再加熱し、再加熱されたミストをヘアアイロン鏝６１に形成された多数の細孔を通じて噴霧しつつヘアセットを行えば髪を痛めることがない。
【００３５】
さらに図１９〜２５に示される第６の実施の形態における理美容装置は、仕上げ処理用の手持ちミスト噴霧装置１や前処理を行なう可動ミスト噴霧装置２０、固定ミスト噴霧装置２５、ドライヤ機構２１をヘッド２２に取り付け、ヘッド２２内にミスト類発生装置４を組み込んだものであり、仕上げ用の手持ちミスト噴霧装置１はヘッド２２にフレキシブルホースよりなる送出管３を介して接続される。可動ミスト噴霧装置２０と固定ミスト噴霧装置２５には噴霧ノズル２３が設けられている。ミスト類発生装置４は第１の実施の形態と同じ構成のため同一符号を付して説明を省略する。また図面上ミスト類発生装置４のミスト発生機構１７や蒸気発生機構１１にフロートスイッチやサーマルスイッチおよび空焚き防止用のバイメタルサーモやシーズヒータをオフするバイメタルサーモが描かれていないが、第１の実施の形態と同じように設けられるものである。
【００３６】
また前処理用の可動ミスト噴霧装置２０はヘッド２２の左右にアームを介してドライヤ機構２１と一体にヘッド２２に設けられている。可動ミスト噴霧装置２０が上部に設けられない理由は可動ミスト噴霧装置２０がミスト類を噴霧するものであるためミスト凝結による液垂れを防ぐことが難しいからである。さらに前処理用の固定ミスト噴霧装置２５は可動ミスト噴霧装置２０によりミストが噴霧できない部分を補うようヘッド２２の背部上下および上部と中間部の左右に配置される。ヘッド２２の背部上下に配置される固定ミスト噴霧装置２５にはドライヤ機構２１が一体に組み込まれ、上部と中間部の左右に配置される固定ミスト噴霧装置２５はドライヤ機構２１が組み込まれない揺動自在なミスト噴霧ノズル２３と非可動のミスト噴霧ノズル２３が設けられている。
【００３７】
また前記ヘッド２２は図２０、２１に示されるようなワゴン３５や図２６、２７に示されるように壁や天井に取り付けられる可動アーム４０に取り付けたり、図２８に示されるように、天井と床間に取り付けられた固定スタンド５０に取り付けた可動アーム４０に取り付けたりするものである。
【００３８】
また、前記図２６、２７に示される、壁や天井に取り付けられる可動アーム４０は、壁や天井に固定されるブラケット４１にアーム４２を水平回動自在に軸支させるとともに、該アーム４２の先端に伸縮アーム４３の基端を水平回動自在に軸支したものである。そして、前記伸縮アーム４３の先端にヘッド２２を固定したものとしている。また、図２８に示される、天井と床に取り付けられた固定スタンド５０は、アジャスタ機構をもって天井と床間に圧着させて立設されるものであり、該固定スタンド５０に可動アーム４０のブラケット４１が取り付けられるもので、該ブラケット４１に前記と同様、アーム４２を水平回動自在に軸支させるとともに、該アーム４２の先端に伸縮アーム４３の基端を水平回動自在に軸支したものである。このように可動アーム４０にヘッド２２を取り付けたものとすることにより、ワゴン３５のように床面を占有することがないので、施術者の移動を邪魔することがないうえに、被施術者の頭部位置にヘッド２２を簡単に位置決めすることができる。
【００３９】
また、ドライヤ機構２１は、図２０、２１、図２６〜２８に示されるように、頭部両側方にアームを介して可動ミスト噴霧装置２０と一体にヘッド２２に取り付けられる左右２個と、頭部上方にアームを介して円弧状に配置される上方２個と、頭部後方に位置して固定ミスト噴霧装置２５と一体にヘッド２２に直接取り付けられる背部２個とからなるものである。
【００４０】
可動ミスト噴霧装置２０と後部上下の固定ミスト噴霧装置２５のミスト噴霧ノズル２３は図２２、２３に示されるように、ドライヤ機構２１の遠赤外線ヒータ２１ａとファン２１ｂの中心に配置され、そのノズル口縁は遠赤外線ヒータ２１ａやファン２１ｂの前方に位置させてミストがドライヤ機構２１に干渉することがないようにしている。２４は固定ミスト噴霧装置２０に設けられる液垂防止機構であり、該液垂防止機構２４は図２２、２３に示されるように、ノズル口縁を先尖り状内鍔として、ミスト噴霧ノズル２３内で凝結した水滴を溜め込むようにして垂れ落ちを防止するとともに先尖り状とすることにより切れを良くしてオーバーフローしてくる凝結水が流れ続けることのないようにしているが、ミスト噴霧ノズル２３の周囲にヒータを巻装して結露水を蒸発乾燥させたりミスト噴霧ノズル２３の外周に噴霧口より先端を張出させて嵌着した吸水体により結露水を吸収させるものとしてもよいことは勿論である。
【００４１】
また、前記ドライヤ機構２１は防護網を取り除いた図２２、２３に示されるように、遠赤外線ヒータ２１ａとファン２１ｂとが組み合わされ、該遠赤外線ヒータ２１ａとファン２１ｂとを各別または同時に作動させるようにしたもので、遠赤外線ヒータ２１ａのみを作動させてパーマやストレートパーマ、ヘアカラーを行う際に薬液の反応促進を行なったり、遠赤外線により頭皮や髪の細胞の代謝機能を活性化させたり、髪の乾燥を行うものである。また、ファン２１ｂのみを作動させて髪の表面の水分のみを乾燥させて髪の艶出しを行なったり、遠赤外線ヒータ２１ａとファン２１ｂとを同時に作動させて、素早い乾燥を行なったりするものである。図２２、２３において、２１ｃは遠赤外線ヒータ２１ａの背面を覆う略弧状の反射板である。また２１ｄはドライヤ機構２１の背面に形成される送風空気吸引用のスリット状吸気孔である。
【００４２】
さらに図２０、２１に示されるようにヘッド２２の上部左右に設けられる揺動自在なミスト噴霧ノズル２３は、図２４、２５に示されるように、正逆回動自在な減速機付モータ２６と、該減速機付モータ２６の回動軸２６ａと、該回動軸２６ａに取り付けられる左右のミスト噴霧ノズル２３と、該各ミスト噴霧ノズル２３を回動自在に収納する液受けケース２７とからなるものである。液受けケース２７はミスト噴霧ノズル２３から垂れ落ちる凝結水を受けるもので、ミスト噴霧ノズル２３が収納される部分はミスト噴霧ノズル部２３が回動できる断面円筒形としている。また、ミスト噴霧ノズル２３は仰角１５°、俯角１５°すなわち、３０°の角度範囲で回動できるようになっている。また、液受けケース２７はミスト噴霧ノズル部２３の回動範囲内前方を開口部２７ａとしている。さらに、液受けケース２７の下面には液受けケース２７の下部に溜まる凝結水を排出するドレン管２７ｂが接続されている。またミスト噴霧ノズル２３のノズル口縁には先尖り状内鍔よりなる液垂防止機構２４が設けられている。
【００４３】
２９、３０はミックスタンク１４から送出されるミストを分岐させて設けた第１タンクと第２タンクであり、第１タンク２９や第２タンク３０に送出管３を介して手持ちミスト噴霧装置１を接続したり、固定ミスト噴霧装置２５、ヘアキャップ２８等を接続したりするものである。３１は蒸気発生機構１１に接続されるシェービング用のスチーム噴霧ノズルであり、シェービング用のスチーム噴霧ノズル３１は微細化しないスチームを噴霧することにより、髭を蒸して髭剃りを円滑に行なうものである。
【００４４】
このように構成されたものは、先ず、使用環境や条件に合わせてヘッド２２をワゴン３５に取り付けたものか、可動アーム４０に取り付けたものを使用する。そして施術者は可動ミスト噴霧装置２０、固定ミスト噴霧装置２５、ドライヤ機構２１等が被施術者の頭部の左右、上方、後方に位置決めできるようにヘッド２２を移動または可動させる。
【００４５】
そして、パーマ、ストレートパーマ、ヘアカラー等の仕上げを行なう際には、ミスト類発生装置４よりミスト噴霧ノズル２に供給されるミスト類を、加熱装置５により１１０〜１３０℃で加熱して粒子径３ミクロン以下、好ましくは２．５ミクロン以下のエネルギーの大きい反応性の高い高温ミストとする。この高温ミストを施術者は手持ちミスト噴霧装置１のガンタイプまたはストレートタイプのミスト噴霧ノズル２より被施術者の髪に噴霧する。また前処理として濡れた髪を乾燥させる場合は、左右２個、上方２個、後方２個のドライヤ機構２１の遠赤外線ヒータ２１ａをオンとするとともに、ファン２１ｂをオンとして遠赤外線による加熱を行ないながら送風することにより、頭部全体に対して加熱と送風が行われるので極めて効率よく短時間で髪の乾燥を行なうことができる。このとき、遠赤外線ヒータ２１ａによる遠赤外線効果により、頭皮や毛髪の代謝を活発化して傷んだ髪や頭皮を整えることができる。
【００４６】
またブローセットの場合は、図２０、２１に示されるような、ヘッド２２に取り付けた可動ミスト噴霧装置２０や固定ミスト噴霧装置２５を作動させてブローセットを行なう前に髪に温ミストを噴霧し水分を毛髪内に浸透させて、ブローの高温から髪を守り、乾燥し過ぎを防止するものとする。さらにドライヤ機構２１のファン２１ｂによる送風と可動ミスト噴霧装置２０によるミスト類の噴霧とを同時に行なうことにより髪の傷めることなく短時間で施術を行うことができる等種々のヘア処理に対応させることができる。
【００４７】
また、図２４、２５に示されるように、固定ミスト噴霧装置２５における揺動自在なミスト噴霧ノズル２３は減速機付モータ２６を作動させて、ミスト噴霧ノズル２３を揺動させながらミストを噴霧させることにより、ミストを頭部上面全体に均一に噴霧でき、毛髪に水分を均一に浸透させることができる。さらに必要に応じてミストをヘアキャップに２８に供給することにより、パーマやストレートパーマ、カラーリング、トリートメント時、効率よく薬液の浸透を促進したり、毛髪に水分を浸透させることができることとなる。またシェービング用のスチーム噴霧ノズル３１よりスチームを噴霧して髭を蒸して髭剃りを円滑に行なうものとする。
【００４８】
なお、前記の各実施の形態では、ミスト噴霧ノズル２をパーマやストレートパーマ、ヘアカラーに用いるものとしているが、トリートメントや養毛、育毛に用いるものとしてもよいことは勿論である。また前記第６の実施の形態では、ヘッド２２にアームを介して取り付けられた左右の可動ミスト噴霧装置２０や後部の固定ミスト噴霧装置２５は前処理用のミスト類を噴霧するものとしているが、加熱装置５を設けてミスト類を粒子径３ミクロン以下、好ましくは２．５ミクロン以下の高温ミストとして噴霧するものとしてもよいことは勿論である。このようにすれば理美容機における施術の応用範囲を一層高めることができることとなる。しかも高温ミストとすることにより凝結が起こり難くなるので、ミスト類では組み込むことができなかった可動ミスト噴霧装置２０を上部のアームにも取り付けることができ、多様な理容施術に対応できることとなる。また前記各実施の形態では、送風機６を設けて高温ミストの生成量を高めたものとしているが、高温ミストの消費量が少ない場合は、送風機６はなくてもよいことは勿論である。
【図面の簡単な説明】
【００４９】
【図１】本発明の第１の実施の形態を組み込んだ理美容機の概略構造を示す説明図である。
【図２】本発明の第１の実施の形態を組み込んだ理美容機の外観図である。
【図３】本発明の第１の実施の形態におけるミスト噴霧ノズルを示す断面図である。
【図４】本発明の第１の実施の形態における別のミスト噴霧ノズルを示す一部切欠側面図である。
【図５】同じくミスト噴霧ノズルの先端に取り付けられる整髪用の交換ノズルである。
【図６】図４のミスト噴霧ノズルの変形例を示す一部切欠側面図である。
【図７】同じく図４のミスト噴霧ノズルの変形例を示す一部切欠側面図である。
【図８】本発明の第２の実施の形態を組み込んだ理美容機の概略構造を示す説明図である。
【図９】本発明の第３の実施の形態を組み込んだ理美容機の概略構造を示す説明図である。
【図１０】本発明の第４の実施の形態を組み込んだ理美容機の概略構造を示す説明図である。
【図１１】本発明の第５の実施の形態を組み込んだ理美容機の概略構造を示す説明図である。
【図１２】本発明の第５の実施の形態におけるミスト噴霧ノズルを示す断面図である。
【図１３】本発明の図１２に示されるミスト噴霧ノズルの接続部に交換自在に取り付けられるノズルの種類を示す説明図である。
【図１４】本発明の第５の実施の形態に取り付けられるヘアアイロンを示す側面図である。
【図１５】同じくヘアアイロンに取り付けられるヘアアイロン鏝を示す斜視図である。
【図１６】同じくヘアアイロンの正面図である。
【図１７】本発明の第５の実施の形態に取り付けられる別のヘアアイロンを示す側面図である。
【図１８】同じくヘアアイロンの正面図である。
【図１９】本発明の第６の実施の形態を組み込んだ理美容機の概略構造を示す説明図である。
【図２０】本発明の第６の実施の形態を組み込んだ理美容機の外観正面図である。
【図２１】本発明の第６の実施の形態を組み込んだ理美容機の外観側面図である。
【図２２】本発明の第６の実施の形態に用いられるドライヤ機構を示す側面図である。
【図２３】本発明の第６の実施の形態に用いられるドライヤ機構を示す断面図である。
【図２４】本発明の第６の実施の形態に用いられる揺動自在なミスト噴霧ノズルを示す正面図である。
【図２５】本発明の第６の実施の形態に用いられる揺動自在なミスト噴霧ノズルを示す断面図である。
【図２６】本発明の実施の形態におけるヘッドを可動アームを介して天井に取り付けた状態を示す側面図である。
【図２７】本発明の実施の形態におけるヘッドを可動アームを介して壁面に取り付けた状態を示す側面図である。
【図２８】本発明の実施の形態におけるヘッドを可動アームを介して固定スタンドに取り付けた状態を示す側面図である。
【符号の説明】
【００５０】
２  ミスト噴霧ノズル
３  送出管
４  ミスト類発生装置
５  加熱装置
６  送風機
７  ヒータ
８  吹出しノズル
９  液垂防止機構
【図１】
2005205163.tif 000003
【図２】
2005205163.tif 000004
【図３】
2005205163.tif 000005
【図４】
2005205163.tif 000006
【図５】
2005205163.tif 000007
【図６】
2005205163.tif 000008
【図７】
2005205163.tif 000009
【図８】
2005205163.tif 000010
【図９】
2005205163.tif 000011
【図１０】
2005205163.tif 000012
【図１１】
2005205163.tif 000013
【図１２】
2005205163.tif 000014
【図１３】
2005205163.tif 000015
【図１４】
2005205163.tif 000016
【図１５】
2005205163.tif 000017
【図１６】
2005205163.tif 000018
【図１７】
2005205163.tif 000019
【図１８】
2005205163.tif 000020
【図１９】
2005205163.tif 000021
【図２０】
2005205163.tif 000022
【図２１】
2005205163.tif 000023
【図２２】
2005205163.tif 000024
【図２３】
2005205163.tif 000025
【図２４】
2005205163.tif 000026
【図２５】
2005205163.tif 000027
【図２６】
2005205163.tif 000028
【図２７】
2005205163.tif 000029
【図２８】
2005205163.tif 000030